(57)【要約】【課題】  必要な部分の破損を生じ難くするとともに、最後まで切り取り易いミシン目状分離構造部を有する基材を提供する。【解決手段】  基材を分離するためのミシン目状分離構造部を有する基材であって、ミシン目状分離構造部は直線状のカット部とアンカット部で構成され、アンカット部の長さが一定であって、ミシン目状分離構造部の始端に最も近いカット部の長さが最小であり、終端に最も近いカット部の長さが最大であって、その間のカット部の長さが徐々に変化するように形成されている。【選択図】  図２
2016132099.tif 000002
【特許請求の範囲】
【請求項１】
基材を分離するためのミシン目状分離構造部を有する基材であって、
前記ミシン目状分離構造部は直線状のカット部とアンカット部で構成され、
前記ミシン目状分離構造部はアンカット部の長さが一定であって、カット部の長さが異なるように構成されたことを特徴とするミシン目状分離構造部を有する基材。
【請求項２】
請求項１に記載のミシン目状分離構造部を有する基材において、
前記ミシン目状分離構造部の両端のうち、一方を始端、他方を終端とし、始端に最も近いカット部の長さが最小であり、終端に最も近いカット部の長さが最大であって、その間のカット部の長さが徐々に変化するように形成されていることを特徴とするミシン目状分離構造部を有する基材。
【請求項３】
請求項１に記載のミシン目状分離構造部を有する基材において、
前記ミシン目状分離構造部の両端のうち、一方を始端、他方を終端とし、始端に最も近いカット部の長さと、終端に最も近いカット部の長さがが最小であり、始端と終端の中間に向かってカット部の長さが徐々に長くなるように形成されていることを特徴とするミシン目状分離構造部を有する基材。
【請求項４】
基材を分離するためのミシン目状分離構造部を有する基材であって、
前記ミシン目状分離構造部は直線状のカット部とアンカット部で構成され、
前記ミシン目状分離構造部はカット部の長さが一定であって、アンカット部の長さが異なるように構成されたことを特徴とするミシン目状分離構造部を有する基材。
【請求項５】
請求項４に記載のミシン目状分離構造部を有する基材において、
前記ミシン目状分離構造部の両端のうち、一方を始端、他方を終端とし、始端に最も近いアンカット部の長さが最大であり、終端に最も近いアンカット部の長さが最小であって、その間のアンカット部の長さが徐々に変化するように形成されていることを特徴とするミシン目状分離構造部を有する基材。
【請求項６】
請求項４に記載のミシン目状分離構造部を有する基材において、
前記ミシン目状分離構造部の両端のうち、一方を始端、他方を終端とし、始端に最も近いアンカット部の長さと、終端に最も近いアンカット部の長さがが最大であり、始端と終端の中間に向かってアンカット部の長さが徐々に短くなるように形成されていることを特徴とするミシン目状分離構造部を有する基材。
【発明の詳細な説明】
【技術分野】
【０００１】
本発明は、基材を分離するために形成されたミシン目状分離構造部を有する基材に関する。
【背景技術】
【０００２】
チケットの半券を切り取ったり、封筒を開封したりするなど、刃物を使用せず手で基材を切り取りたい場合に、切り取り線上の一部に刃型を入れるミシン加工が広く利用されている。ミシン加工により形成されたミシン目状分離構造部（「切り取りミシン」とも呼ばれる）は、用紙等の基材に穴が開いている部分であるカット部と、基材が残っている部分であるアンカット部（「タイ部」とも呼ばれる）が交互に繰り返された構造となっている。
【０００３】
出願人は、切り取った手の感覚でチケットの真偽判別が可能とするため、カット部の長さが場所によって異なるミシン目状分離構造部を有するチケットを提案している（特許文献１参照）。
【先行技術文献】
【特許文献】
【０００４】
【特許文献１】特開２０１１−１２６１０６号公報
【発明の概要】
【発明が解決しようとする課題】
【０００５】
上記特許文献１に示したミシン目状分離構造部を有することにより、切り取った手の感覚でチケットの真偽判別が可能となった。しかしながら、切り取りの際の力の入れ方は個人により異なるため、ミシン目状分離構造部の線上から外れて、しまうこともある。経験上、切り取り距離が長くなると、本来破損させたくない部分が破れ易くなるという問題がある。
【０００６】
そこで、本発明は、必要な部分の破損を生じ難くするとともに、最後まで切り取り易いミシン目状分離構造部を有する基材を提供することを課題とする。
【課題を解決するための手段】
【０００７】
上記課題を解決するため、本発明第１の態様では、
基材を分離するためのミシン目状分離構造部を有する基材であって、
前記ミシン目状分離構造部は直線状のカット部とアンカット部で構成され、
前記ミシン目状分離構造部はアンカット部の長さが一定であって、カット部の長さが異なるように構成されたことを特徴とするミシン目状分離構造部を有する基材を提供する。
【０００８】
本発明第１の態様によれば、ミシン目状分離構造部が、直線状のカット部とアンカット部で構成され、ミシン目状分離構造部はアンカット部の長さが一定であって、カット部の長さが異なるように構成されているので、最後まで切り取り易く、必要な部分の破損を生じ難くすることが可能となる。また、カット部とアンカット部の比率がグラデーション的に徐々に変化するため、模倣されにくく、偽造防止対策にもなる。
【０００９】
また、本発明第２の態様では、前記ミシン目状分離構造部を有する基材において、前記ミシン目状分離構造部の両端のうち、一方を始端、他方を終端とし、始端に最も近いカット部の長さが最小であり、終端に最も近いカット部の長さが最大であって、その間のカット部の長さが徐々に変化するように形成されていることを特徴とする。
【００１０】
本発明第２の態様によれば、ミシン目状分離構造部の両端のうち、始端に最も近いカット部の長さが最小であり、終端に最も近いカット部の長さが最大であって、その間のカット部の長さが徐々に変化するように形成されているので、最後までほぼ一定の力で、必要な部分の破損を生じ難くしながら、切り取ることが可能となる。
【００１１】
また、本発明第３の態様では、前記ミシン目状分離構造部を有する基材において、前記ミシン目状分離構造部の両端のうち、始端に最も近いカット部の長さと、終端に最も近いカット部の長さがが最小であり、始端と終端の中間に向かってカット部の長さが徐々に長くなるように形成されていることを特徴とする。
【００１２】
本発明第３の態様によれば、ミシン目状分離構造部の両端のうち、始端に最も近いカット部の長さと、終端に最も近いカット部の長さがが最小であり、始端と終端の中間に向かってカット部の長さが徐々に長くなるように形成されているので、始端と終端のどちらからでも、最後まで切り取り易く、必要な部分の破損を生じ難くすることが可能となる。
【００１３】
また、本発明第４の態様では、
基材を分離するためのミシン目状分離構造部を有する基材であって、
前記ミシン目状分離構造部は直線状のカット部とアンカット部で構成され、
前記ミシン目状分離構造部はカット部の長さが一定であって、アンカット部の長さが異なるように構成されたことを特徴とするミシン目状分離構造部を有する基材を提供する。
【００１４】
本発明第４の態様によれば、ミシン目状分離構造部が、直線状のカット部とアンカット部で構成され、ミシン目状分離構造部はカット部の長さが一定であって、アンカット部の長さが異なるように構成されているので、最後まで切り取り易く、必要な部分の破損を生じ難くすることが可能となる。
【００１５】
また、本発明第５の態様では、前記ミシン目状分離構造部を有する基材において、前記ミシン目状分離構造部の両端のうち、一方を始端、他方を終端とし、始端に最も近いアンカット部の長さが最大であり、終端に最も近いアンカット部の長さが最小であって、その間のアンカット部の長さが徐々に変化するように形成されていることを特徴とする。
【００１６】
本発明第５の態様によれば、ミシン目状分離構造部の両端のうち、始端に最も近いアンカット部の長さが最大であり、終端に最も近いアンカット部の長さが最小であって、その間のアンカット部の長さが徐々に変化するように形成されているので、最後までほぼ一定の力で、必要な部分の破損を生じ難くしながら、切り取ることが可能となる。
【００１７】
また、本発明第６の態様では、前記ミシン目状分離構造部の両端のうち、一方を始端、他方を終端とし、始端に最も近いアンカット部の長さと、終端に最も近いアンカット部の長さがが最大であり、始端と終端の中間に向かってアンカット部の長さが徐々に短くなるように形成されていることを特徴とする。
【００１８】
本発明第６の態様によれば、ミシン目状分離構造部の両端のうち、始端に最も近いアンカット部の長さと、終端に最も近いアンカット部の長さがが最大であり、始端と終端の中間に向かってアンカット部の長さが徐々に短くなるように形成されているので、始端と終端のどちらからでも、最後まで切り取り易く、必要な部分の破損を生じ難くすることが可能となる。
【発明の効果】
【００１９】
本発明によれば、必要な部分の破損を生じ難くするとともに、最後まで切り取り易いミシン目状分離構造部を有する基材が得られる。
【図面の簡単な説明】
【００２０】
【図１】本発明の一実施形態に係るミシン目状分離構造部を有する基材を示す平面図である。
【図２】本発明第１の実施形態に係るミシン目状分離構造部２を示す図である。
【図３】本発明第２の実施形態に係るミシン目状分離構造部２を示す図である。
【図４】本発明第３の実施形態に係るミシン目状分離構造部２を示す図である。
【図５】本発明第４の実施形態に係るミシン目状分離構造部２を示す図である。
【図６】シート状で印刷する際の多面付けシートについて説明するための図である。
【図７】連続紙で印刷する際の多面付けシートについて説明するための図である。
【発明を実施するための形態】
【００２１】
以下、本発明の好適な実施形態について、図面を参照して詳細に説明する。
＜１．ミシン目状分離構造部を有する基材＞
図１は、本発明の一実施形態に係るミシン目状分離構造部を有する基材を示す平面図である。本実施形態では、ミシン目状分離構造部を有する基材を公演会のチケットに適用した場合について説明する。図１において、１はチケットの形態であるミシン目状分離構造部を有する基材、２はミシン目状分離構造部である。ここで、「基材」とは、紙片や用紙のような紙基材、フィルム素材で形成されたフィルム基材を含む様々な素材によるシート状のものを示す。
【００２２】
図１は、チケットの表面となる側を示している。図１に示すように、ミシン目状分離構造部を有する基材（以下単に「基材」という）１は、例えば、コンサートホールや劇場の入場券、博物館や美術館の入場券、動物園や植物園などの入場券に代表されるチケット類として使用される。基材１としては、様々な形態とすることができるが、図１に示したような矩形状が一般的である。矩形状である場合、長辺が１７０ｍｍ程度の封筒サイズのものや、長辺が１５０ｍｍ程度の紙幣サイズのものなど様々なサイズのものが存在する。
【００２３】
印刷の向きにより、縦長の態様や横長の態様となる。図１の例では、縦長の態様となっている。ミシン目状分離構造部２は、切り離しミシンなどとも呼ばれる直線状のミシン目線である。ミシン目状分離構造部２は、図１の例では、基材１の短辺に平行に形成されている。図１の例では、ミシン目状分離構造部２は、基材の長辺を２：１程度に分離する位置に形成されているが、任意の位置に形成することができる。一般的には、１：１〜５：１程度に分離する位置に形成される。また、必ずしも短辺に平行に形成される必要はなく、短辺に沿った方向であれば、若干斜めになるように形成することもできる。
【００２４】
基材１は、ミシン目状分離構造部２により第１基材片１ａと、第２基材片１ｂに分離される予定になっている。第１基材片１ａの表面には、チケットのタイトル、日時・会場・座席番号等の文字情報が印刷されている。図示は省略するが、一般的には、その他、写真やイラストなどの図柄も印刷されている。また、図示は省略するが、チケット固有の管理番号も印刷されている。チケット固有の管理番号については、バーコードの形態で印刷されていることもある。図１に示すように、第２基材片１ｂにも第１基材片１ａに印刷された内容全てまたは一部が印刷される。図１の例では、チケットのタイトル、日時・会場・座席番号等の文字情報が第２基材片１ｂにも印刷されている。また、図示は省略するが、チケットの裏面となる側には、注意事項などが印刷されている。
【００２５】
＜２．第１の実施形態＞
図２は、第１の実施形態に係るミシン目状分離構造部２を示す図である。図２に示すミシン目状分離構造部２は、図１に示した基材１のミシン目状分離構造部２の部分を拡大したものとなっている。第１の実施形態では、ミシン目のアンカット部の長さがミシン目状分離構造部２全体を通して一定となっている。図２においては、切り取り方向が左から右となる場合を想定して示している。従って、左側が切取り開始点となる始端であり、右側が切取り終了点となる終端である。
【００２６】
第１の実施形態では、図２に示すように、始端側から終端側に向かってカット部の長さが徐々に長くなっている。図２の例では、始端に最も近いカット部の長さが最小で３ｍｍであり、終端に向かうに連れて０．１ｍｍずつ長くなっている。「始端に最も近いカット部」とは、始端にカット部が位置する場合は、そのカット部であり、始端にアンカット部が位置する場合は、そのアンカット部に隣接するカット部である。第１の実施形態の場合、カット部の長さは終端に最も近いカット部において最大となる。「終端に最も近いカット部」とは、終端にカット部が位置する場合は、そのカット部であり、終端にアンカット部が位置する場合は、そのアンカット部に隣接するカット部である。アンカット部の長さは、始端に最も近いものから終端に最も近いものまで２ｍｍであり、常に一定である。従って隣接するカット部とアンカット部の比率は徐々に変化していくことになる。ミシン目状分離構造部２を第１の実施形態のような構造とすることにより、基材による抵抗力に対抗して、最後まで大きな力を掛けることなく、ミシン目状分離構造部２に沿った切り取りを行うことが可能となる。
【００２７】
＜３．第２の実施形態＞
図３は、第２の実施形態に係るミシン目状分離構造部２を示す図である。図３に示すミシン目状分離構造部２も、図１に示した基材１のミシン目状分離構造部２の部分を拡大したものとなっている。第２の実施形態においても、ミシン目のアンカット部の長さがミシン目状分離構造部２全体を通して一定となっている。図２においては、切り取り方向が左から右となる場合を想定して示している。従って、左側が切取り開始点となる始端であり、右側が切取り終了点となる終端である。
【００２８】
第２の実施形態では、第１の実施形態と異なり、図３に示すように、始端に最も近いカット部の長さと、終端に最も近いカット部の長さがが最小であり、始端と終端の中間に向かってカット部の長さが徐々に長くなるように形成されている。図３の例では、始端に最も近いカット部の長さと終端に最も近いカット部の長さが同一で３ｍｍであり、両端から、始端と終端の中間に向かうに連れて０．１ｍｍずつ長くなっている。第２の実施形態の場合、カット部の長さは中間点（中央部）付近において最大となる。アンカット部の長さは、始端に最も近いものから終端に最も近いものまで２ｍｍであり、第１の実施形態と同様、常に一定である。従って隣接するカット部とアンカット部の比率は徐々に変化していくことになる。ミシン目状分離構造部２を第２の実施形態のような構造とすることにより、始端と終端のどちらからでも、基材による抵抗力に対抗して、最後まで大きな力を掛けることなく、ミシン目状分離構造部２に沿った切り取りを行うことが可能となる。
【００２９】
＜４．第３の実施形態＞
図４は、第３の実施形態に係るミシン目状分離構造部２を示す図である。図４に示すミシン目状分離構造部２は、図１に示した基材１のミシン目状分離構造部２の部分を拡大したものとなっている。第３の実施形態では、ミシン目のカット部の長さがミシン目状分離構造部２全体を通して一定となっている。図４においては、切り取り方向が左から右となる場合を想定して示している。従って、左側が切取り開始点となる始端であり、右側が切取り終了点となる終端である。
【００３０】
第３の実施形態では、図４に示すように、始端から終端に向かってアンカット部の長さが徐々に短くなっている。図４の例では、始端に最も近いアンカット部の長さが最大で２ｍｍであり、終端に向かうに連れて０．１ｍｍずつ短くなっている。第３の実施形態の場合、アンカット部の長さは終端に最も近いカット部において最小となる。カット部の長さは、始端に最も近いものから終端に最も近いものまで３ｍｍであり、常に一定である。従って隣接するカット部とアンカット部の比率は徐々に変化していくことになる。ミシン目状分離構造部２を第３の実施形態のような構造とすることにより、基材による抵抗力に対抗して、最後まで大きな力を掛けることなく、ミシン目状分離構造部２に沿った切り取りを行うことが可能となる。
【００３１】
＜５．第４の実施形態＞
図５は、第４の実施形態に係るミシン目状分離構造部２を示す図である。図５に示すミシン目状分離構造部２も、図１に示した基材１のミシン目状分離構造部２の部分を拡大したものとなっている。第４の実施形態においても、ミシン目のカット部の長さがミシン目状分離構造部２全体を通して一定となっている。図５においては、切り取り方向が左から右となる場合を想定して示している。従って、左側が切取り開始点となる始端であり、右側が切取り終了点となる終端である。
【００３２】
第４の実施形態では、第３の実施形態と異なり、図５に示すように、始端に最も近いアンカット部の長さと、終端に最も近いアンカット部の長さがが最大であり、始端と終端の中間に向かってアンカット部の長さが徐々に短くなるように形成されている。図５の例では、始端に最も近いアンカット部の長さと終端に最も近いアンカット部の長さが同一で２ｍｍであり、両端から、始端と終端の中間に向かうに連れて０．１ｍｍずつ短くなっている。第４の実施形態の場合、アンカット部の長さは中間点（中央部）付近において最小となる。カット部の長さは、始端に最も近いものから終端に最も近いものまで３ｍｍであり、第３の実施形態と同様、常に一定である。従って隣接するカット部とアンカット部の比率は徐々に変化していくことになる。ミシン目状分離構造部２を第４の実施形態のような構造とすることにより、始端と終端のどちらからでも、基材による抵抗力に対抗して、最後まで大きな力を掛けることなく、ミシン目状分離構造部２に沿った切り取りを行うことが可能となる。
【００３３】
＜６．多面付けの例＞
図６を参照してシート状で印刷する際の多面付けシートについて説明する。図６の例は、１つの多面付けシート３に基材１を１５面付けで印刷する例である。図の矢印の方向が紙の繊維方向であり、ミシン目状分離構造部２は紙の繊維方向に平行に形成される。その結果、ミシン目状分離構造部２で切離す際のアンカット部の抵抗は小さくなる。したがって、前述のミシン目状分離構造部２のアンカット部の長さが全体的に長くなるように設定する。
【００３４】
逆に、紙の繊維方向が図６の矢印に対し直角方向になっている場合は、ミシン目状分離構造部２は、紙の繊維方向に対して直角に施される状態となりアンカット部が切れにくくなる。その結果、ミシン目状分離構造部２で切離す際のアンカット部の抵抗は大きくなる。したがって、前述のミシン目状分離構造部２のアンカット部の長さが全体的に短くなるように設定される。
【００３５】
紙の繊維方向に起因する抵抗の大きさの変化は、紙の繊維の長さにも左右される。例えば、上質紙とコート紙ではアンカット部の長さが同じでも切離し強度は全く異なり、繊維が長い上質紙のほうがアンカット部の抵抗力が大となる。
【００３６】
図７を参照して連続紙で印刷する際の多面付けシートについて説明する。図７の例は、連続フォーム形式で印刷する場合について図示したものである。この場合は印刷胴（シリンダ）一回転で１５面同時印刷する一例を示したものである。図７に示す状態（連続フォーム形式）でチケット等の基材が作製された場合は、矢印の方向に紙の繊維が流れており、短辺に平行に形成されたミシン目状分離構造部２によって、図４で説明したアンカット部の抵抗が弱い基材１が出来上がる。したがって、ミシン目状分離構造部２のアンカット部の長さは全体的に長めに調整して設定する。
【００３７】
ここで、チケット等の基材を製造する場合に使用される切離しミシンについて説明する。図６、図７で説明したように多面でチケットを印刷し、かつ、一枚のチケットに仕上がったときに図２〜図５で説明したように、カット部とアンカト部を形成するようにしなければならない。そのため、図４に示すシート印刷の場合は平らな板にミシン刃を埋め込んだ置きミシンや、シリンダにミシン刃を貼り付けた貼りミシンを使用して作製する。
【００３８】
一方、図７に示すように連続紙で多面付けシート４を印刷する場合は、ミシン胴にミシン刃を貼り付けて、１５面単位で一回転させ、一回転で印刷物の同一位置にミシン刃の始まりが来るようにセットして作製する。いずれの場合も、ミシン刃としては、ピナクル刃などを用いることができる。また、レーザー加工によりカット部を形成するようにしてもよい。
【００３９】
以上、本発明の好適な実施形態について説明したが、本発明は上記実施形態に限定されず、種々の変形が可能である。例えば、上記第１、第２の実施形態では、アンカット部を一定とし、上記第３、第４の実施形態では、カット部を一定とするようにしたが、両者を変化させるようにしてもよい。例えば、第１の実施形態のカット部と、第３または第４の実施形態のアンカット部を組み合わせてもよいし、第２の実施形態のカット部と、第３または第４の実施形態のアンカット部を組み合わせてもよい。
【産業上の利用可能性】
【００４０】
コンサートホールや劇場の入場券、博物館や美術館の入場券、動物園や植物園などの入場券に代表されるチケット類をはじめ、様々な基材に利用できる。
【符号の説明】
【００４１】
１・・・基材
１ａ・・・第１基材片
１ｂ・・・第２基材片
２・・・ミシン目状分離構造部
３、４・・・多面付けシート
【図１】
2016132099.tif 000003
【図２】
2016132099.tif 000004
【図３】
2016132099.tif 000005
【図４】
2016132099.tif 000006
【図５】
2016132099.tif 000007
【図６】
2016132099.tif 000008
【図７】
2016132099.tif 000009